(57)【要約】【課題】表示意匠して形成された反射部を有する透光性部材を備え、この表示意匠の立体感をより強調することが可能な指針計器を提供する。【解決手段】指針計器は、第１突出部３１と第１突出部３１に形成された反射部３４とを有する第１透光性部材３と、第１透光性部材３に光を入射させる第１光源６２と、第１透光性部材３の目視側前面に略沿うように回動する指針４とを備え、第１突出部３１が、第１突出部３１の目視側前面と第１突出部３１の背面とが目視側へ突出するように形成され、反射部３４が、第１光源６２の発した光を目視側へ反射することによって表示意匠として目視されるように形成されている。【選択図】図３
2008020306.tif 000002
【特許請求の範囲】
【請求項１】
第１突出部と該第１突出部に形成された反射部とを有する第１透光性部材と、
前記第１透光性部材に光を入射させる第１光源と、
前記第１透光性部材の目視側前面に略沿うように回動する指針とを備え、
前記第１突出部は、該第１突出部の目視側前面と該第１突出部の背面とが目視側へ突出するように形成され、
前記反射部は、前記第１光源の発した光を前記目視側へ反射することによって表示意匠として目視されるように形成されていることを特徴とする指針計器。
【請求項２】
前記反射部は、前記第１突出部の前記背面に凹部として形成されていることを特徴とする請求項１に記載の指針計器。
【請求項３】
前記第１突出部は、該第１突出部の突出状態を強調するように曇りガラス調に形成された拡散反射部を有することを特徴とする請求項１または請求項２に記載の指針計器。
【請求項４】
前記拡散反射部は、前記目視側へ向かって該拡散反射部の濃淡が徐々に淡くなるように形成されていることを特徴とする請求項３に記載の指針計器。
【請求項５】
前記第１突出部は、前記指針の先端の回動軌跡に略沿うように形成され、
前記反射部は、指標として目視されるように形成され、且つ、前記回動軌跡に略沿うように配置されていることを特徴とする請求項１ないし請求項４のいずれか一項に記載の指針計器。
【請求項６】
前記第１突出部の背後側に配置された第２突出部を有する第２透光性部材を備え、
前記第２突出部は、前記第１突出部の背後側において該第２突出部の目視側前面と該第２突出部の背面とが前記目視側へ突出するように形成され、
前記第２突出部は、前記目視側から前記第１突出部を通して前記反射部の背景として目視されるように形成された背景部を有することを特徴とする請求項１ないし請求項５のいずれか一項に記載の指針計器。
【請求項７】
前記第１突出部の背後側に配置された第２突出部を有する第２透光性部材を備え、
前記第２突出部は、前記第１突出部の背後側において該第２突出部の目視側前面と該第２突出部の背面とが前記目視側へ突出するように形成され、
前記反射部は、目盛として目視されるように形成され、
前記第２突出部は、前記目視側から前記第１突出部を通して前記目盛に対応する文字として目視されるように形成された文字部を有することを特徴とする請求項１ないし請求項６のいずれか一項に記載の指針計器。
【請求項８】
前記第２透光性部材の背後側に配置され、前記第２突出部を透過照明する第２光源を備えることを特徴とする請求項６または請求項７に記載の指針計器。
【請求項９】
前記第１光源の点燈・消燈制御と前記第２光源の点燈・消燈制御とを行う制御手段を備え、
前記制御手段は、該制御手段の作動中において前記第１光源を常時点燈させ、且つ、該制御手段の作動中において周囲が暗い状態でのみ前記第２光源を点燈させるように構成されていることを特徴とする請求項８に記載の指針計器。
【請求項１０】
前記指針は、該指針が前記第１突出部の前記目視側前面に略沿うように、前記目視側と前記背後側とを結ぶ方向へ屈曲した形状で形成されていることを特徴とする請求項１ないし請求項９のいずれか一項に記載の指針計器。
【発明の詳細な説明】
【技術分野】
【０００１】
本発明は、指針計器に関するものである。
【背景技術】
【０００２】
近年、自動車に装備される指針計器において、見映えのある斬新な視認性を確保するために様々な方法が採られている。
【０００３】
本発明者は、文字盤上に形成されたリング状の透光性部材と、透光性部材内に光を入射させる光源と、透光性部材に設けられて光源から発した光を反射光として目視させる反射部とを備えた指針計器を提案している（特許文献１を参照）。
【０００４】
この実施例において、反射部を複数の凹部として形成することによって目盛等の指標として目視させる構成を開示している。この構成では、反射部を、文字盤の目視側前面に形成された透光性部材に形成する。このため、文字盤よりも目視側に位置する透光性部材の反射部が文字盤を基準として立体的に目視され、これにより、指標を立体的に表示して斬新な見映えを得ようとするものである。
【特許文献１】特開２００３−３０２２６２号公報
【発明の開示】
【発明が解決しようとする課題】
【０００５】
上記従来技術の実施例における立体感は、文字盤よりも目視側に位置する透光性部材の反射部が、文字盤を基準として目視されることにより得られる。このため、一定の効果が得られるが、凹部の深さ分の立体感しか期待できない。
【０００６】
この問題は、指標を包含する表示意匠に共通する問題である。
【０００７】
本発明は、上述の問題点に鑑みてなされたものであり、表示意匠して形成された反射部を有する透光性部材を備え、この表示意匠の立体感をより強調することが可能な指針計器を提供することを目的とする。
【課題を解決するための手段】
【０００８】
本発明は上記目的を達成するため、以下の技術的手段を採用する。
【０００９】
請求項１に記載の指針計器は、第１突出部と第１突出部に形成された反射部とを有する第１透光性部材と、第１透光性部材に光を入射させる第１光源と、第１透光性部材の目視側前面に略沿うように回動する指針とを備え、第１突出部が、第１突出部の目視側前面と第１突出部の背面とが目視側へ突出するように形成され、反射部が、記第１光源の発した光を前記目視側へ反射することによって表示意匠として目視されるように形成されていることを特徴とする。
【００１０】
この構成では、第１突出部の目視側前面と第１突出部の背面とが目視側へ突出するように形成され、表示意匠として目視されるように形成された反射部が、第１突出部に形成される。これにより、反射部が、より目視側へ配置されることとなるため、反射部による表示意匠の立体感をより強調することができる。
【００１１】
請求項２に記載の指針計器は、反射部が、第１突出部の背面に凹部として形成されていることを特徴とする。
【００１２】
これにより、上述の効果を簡易な構成で得ることができる。
【００１３】
請求項３に記載の指針計器は、第１突出部が、第１突出部の突出状態を強調するように曇りガラス調に形成された拡散反射部を有することを特徴とする。
【００１４】
この構成では、拡散反射部が第１突出部の突出状態を強調するため、表示意匠の立体感をより強調することができる。
【００１５】
請求項４に記載の指針計器は、拡散反射部が、目視側へ向かって拡散反射部の濃淡が徐々に淡くなるように形成されていることを特徴とする。
【００１６】
この構成では、拡散反射部が目視側へ向かって徐々に淡くなるように形成されているため、第１突出部の突出状態を陰影としてより強調できる。これにより、表示意匠の立体感をより強調することができる。
【００１７】
請求項５に記載の指針計器は、第１突出部が指針の先端の回動軌跡に略沿うように形成され、反射部が、指標として目視されるように形成され、且つ、回動軌跡に略沿うように配置されていることを特徴とする。
【００１８】
この構成では、反射部が指標として目視されるように形成され、第１突出部が指針の先端の回動軌跡に略沿うように形成され、反射部が回動軌跡に略沿うように配置されている。これにより、指標の立体感をより強調することができる。
【００１９】
請求項６に記載の指針計器は、第１突出部の背後側に配置された第２突出部を有する第２透光性部材を備え、第２突出部が、第１突出部の背後側において第２突出部の目視側前面と第２突出部の背面とが目視側へ突出するように形成され、第２突出部が、目視側から第１突出部を通して反射部の背景として目視されるように形成された背景部を有することを特徴とする。
【００２０】
この構成では、第１突出部の背後側に配置された第２突出部が、反射部の背景として目視されるように形成された背景部を有する。これにより、反射部による表示意匠の背後側に背景部による背景の対比が加わるため、表示意匠の立体感をより強調することができる。
【００２１】
請求項７に記載の指針計器は、第１突出部の背後側に配置された第２突出部を有する第２透光性部材を備え、第２突出部が、第１突出部の背後側において第２突出部の目視側前面と第２突出部の背面とが目視側へ突出するように形成され、反射部が、目盛として目視されるように形成され、第２突出部が、目視側から第１突出部を通して目盛に対応する文字として目視されるように形成された文字部を有することを特徴とする。
【００２２】
この構成では、反射部が目盛として目視されるように形成され、第１突出部の背後側に配置された第２突出部が、目盛に対応する文字として目視されるように形成された文字部を有する。これにより、反射部による目盛の背後側にこの目盛に対応する文字の対比が加わるため、この目盛と文字からなる指標の立体感をより強調することができる。
【００２３】
請求項８に記載の指針計器は、第２突出部の背後側に配置され且つ第２突出部を透過照明する第２光源を備えることを特徴とする。
【００２４】
この構成では、第２突出部が第２光源によって透過照明されるため、反射部による表示意匠を、第２光源による照明光を背景として浮いた感じで目視させることができる。これにより、表示意匠の立体感をさらに強調することができる。
【００２５】
請求項９に記載の指針計器は、第１光源の点燈・消燈制御と第２光源の点燈・消燈制御とを行う制御手段を備え、制御手段が、制御手段の作動中において第１光源を常時点燈させ且つ制御手段の作動中において周囲が暗い状態でのみ第２光源を点燈させるように構成されていることを特徴とする。
【００２６】
この構成では、第１光源を常時点燈させ且つ周囲が暗い状態でのみ第２光源を点燈させる。これにより、反射部による表示意匠を、周囲が暗い状態では第２光源による照明光を背景として浮いた感じで目視させることができ、周囲が明るい状態では第２透光性部材に形成された文字部や背景部を背景として目視させることができる。この結果、表示意匠の立体感を、周囲が明るい状態と暗い状態において、それぞれ異なる目視状態でより強調することができる。
【００２７】
請求項１０に記載の指針計器は、指針が、第１突出部の目視側前面に略沿うように、目視側と背後側とを結ぶ方向へ屈曲した形状で形成されていることを特徴とする。
【００２８】
この構成では、指針が、第１突出部の目視側前面に略沿うように屈曲した形状で形成される。これにより、指針を反射部により近接させることができ、指針を反射部による表示意匠に対してより関連付けて目視させることができる。特に、反射部が指標として目視されるように形成されている場合、指針が指し示す指標をより読み取り易くさせることができる。
【発明を実施するための最良の形態】
【００２９】
以下、本発明による指針計器を、自動車に搭載されるコンビネーションメータに適用した場合を例に図面に基づいて説明する。
【００３０】
（構成）
図１は、本発明の一実施形態による指針計器であるコンビネーションメータ１の正面図である。
【００３１】
図２は、図１中のＩＩ−ＩＩ線断面図である。
【００３２】
図３（ａ）は、図２中のＩＩＩＡ部の拡大図であり、図３（ｂ）は、図３（ａ）の斜視図である。
【００３３】
図４は、本発明の一実施形態によるコンビネーションメータ１の電気回路構成を説明する回路構成図である。
【００３４】
本発明の一実施形態による指針計器であるコンビネーションメータ１は、自動車の運転席前方に配置されて当該自動車に関する各種情報を表示する。コンビネーションメータ１は、図１に示すように、当該自動車の走行速度を指示する速度計、当該自動車の累積走行距離および区間走行距離を示す距離計、および、当該自動車のドアの開閉状態を指示するドアインジケータを備える。
【００３５】
速度計は、第２透光性部材である文字盤２と、その目視側（図２において上側）に配置された第１透光性部材である透光性リング３と、透光性リング３の目視側前面（図２において上側）に略沿うように回動する指針４とを備え、指針４の回動角度により速度を指示するように構成される。
【００３６】
一方、距離計は、液晶表示器５の図１における下側に画像として形成され、ドアインジケータは、液晶表示器５の図１における上側に画像として形成される。液晶表示器５は、指針４より目視側（図２において上側）であって指針４の回転中心側に配置される。
【００３７】
以下、速度計について説明する。
【００３８】
透光性リング３は、アクリル樹脂等の透光性部材から形成され、目視側（図２において上側）へ突出する第１突出部３１と、後述する第１光源である発光ダイオード６２からの光を導入する導光部３６とを備える。透光性リング３は、第１突出部３１が、図１に示すように、指針４の先端の回動軌跡に略沿うようにリング状に形成される。第１突出部３１は、第１突出部３１の目視側前面（図２において上側の面）と第１突出部３１の背面（図２において下側の面）の両方が目視側へ突出するように形成される。
【００３９】
第１突出部３１には、図１と図３に示すように、目盛部３２と反射部である補完目盛部３４と拡散反射部であるシボ面３５が形成される。補完目盛部３４は、目盛部３２を補完する目盛であり、発光ダイオード６２の発した光を目視側へ反射することによって表示意匠である補完目盛として目視されるように形成される。具体的に、補完目盛部３４は、図３に示すように第１突出部３１の背面（図３（ａ）において下側の面）に凹部として形成される。
【００４０】
目盛部３２は、例えば黒色の印刷層３３の開口として形成される。シボ面３５は、微細な凹凸として曇りガラス調に形成され、第１突出部３１の突出状態を強調するように形成される。具体的に、シボ面３５は、目視側（図３において上側）へ向かって、即ち、図１において指針４の回転中心側から外周側へ向かってその濃淡が徐々に淡くなるようにグラデーション状に形成される。
【００４１】
補完目盛部３４とシボ面３５は、透光性リング３の成形時に形成され、成形後、印刷層３３をホットスタンプ印刷等によって形成する。
【００４２】
文字盤２は、ポリカーボネート等の透光性薄板から形成され、図２と図３に示すように、透光性リング３の第１突出部３１の背後側（図２と図３において下側）で第１突出部３１に沿うように目視側へ突出する第２突出部２１を備える。第２突出部２１は、第１突出部３１の背後側において第２突出部２１の目視側前面（図２と図３において上側の面）と第２突出部の背面（図２と図３において下側の面）の両方が目視側へ突出するように形成される。上述したように、第１突出部３１がリング状に形成されているため、第２突出部２１も第１突出部３１に沿うようにリング状に形成される。
【００４３】
第２突出部２１には、背景部２３が、目視側から第１突出部３１を通して補完目盛部３４の背景として目視されるように形成される。背景部２３の上面には、目盛部３２と補完目盛部３４に対応する文字部２２が、目視側から第１突出部３１を通して目視されるように形成される。また、文字盤２において透光性リング３より外周側（図３（ａ）において左側）には、黒色の印刷層２４が形成され、背景部２３は、文字盤２において第２突出部２１含めた透光性リング３より内側（図３（ａ）において右側）に形成される。
【００４４】
背景部２３は、金属調で半透光性の印刷層であり、文字部２２は、例えば透光性を有する青色の印刷層である。背景部２３の透光性は、後述する第２光源である発光ダイオード６３が点燈すると、背景部２３がほとんど目視できない状態となるように調整される。
【００４５】
背景部２３と印刷層２４を形成した後、文字部２２を形成し、その後、圧空成形等によって第２突出部２１を形成する。背景部２３と印刷層２４と文字部２２は、スクリーン印刷やホットスタンプ印刷等によって形成する。
【００４６】
文字盤２の背後側（図２において下側）には、ムーブメント４１、発光ダイオード６１、第１光源である発光ダイオード６２、第２光源である発光ダイオード６３、ケース７やプリント基板８が配置される。ムーブメント４１と発光ダイオード６１−６３は、プリント基板８に実装される。
【００４７】
発光ダイオード６１は、指針４を発光表示させる光源であり、発光ダイオード６２は、導光部３６から透光性リング３に光を入射させる光源であり、発光ダイオード６３は、文字盤２の第２突出部２１を透過照明する光源である。
【００４８】
ムーブメント４１は、ステッピングモータ、あるいは交差コイル式回転機等の電気アクチュエータからなり、外部からの電気信号（本実施形態では自動車の速度信号）に対応した角度だけシャフト４２を回動させるものである。ムーブメント４１のシャフト４２は、目視側（図２において上側）へ延出し、その先端に指針４が固定される。
【００４９】
指針４は、透光性材料、たとえばアクリル樹脂等により形成され、発光ダイオード６１が発する例えば白色光によって指針４の先端部が赤色で発光表示されるように形成される。指針４は、図２において、透光性リング３の第１突出部３１の目視側前面に略沿うように、目視側と背後側を結ぶ方向（図２において上下方向）へ屈曲した形状で形成される。
【００５０】
ケース７は、樹脂材料から成形され、リフレクタとしての機能を有する。即ち、ケース７は、発光ダイオード６１からの白色光を指針４へ導く機能と、発光ダイオード６２からの例えば白色光を透光性リング３の導光部３６へ導く機能と、発光ダイオード６２からの例えば白色光を文字盤２の第２突出部２１へ導く機能とを有する。
【００５１】
尚、透光性リング３は、文字盤２またはケース７に対して図示しない引っ掛けや接着やネジ止め等によって固定される。
【００５２】
また、プリント基板８には、発光ダイオード６１−６３の点燈・消燈制御、ムーブメント４１の駆動制御および液晶表示器５の駆動制御を行なう制御手段である制御装置９（図４）が実装される。制御装置９は、マイクロコンピュータ等から構成され、発光ダイオード６１、６２を常時点燈し、発光ダイオード６３を周囲が暗いとき（コンビネーションメータ１へ入射する外来光の入射量が少ないとき）のみ点燈するように構成される。
【００５３】
具体的に、制御装置９は、当該自動車のスモールランプ（テールランプ）を点燈させるスモールランプ点燈スイッチ１２（図４）をオンした際に発光ダイオード６３を点燈するように構成される。
【００５４】
一方、液晶表示器５は、図２において図示しないリードワイヤを介してプリント基板８と電気的に接続される。
【００５５】
液晶表示器５の目視側には、液晶表示器５を保護する透明カバー５３が配置され、液晶表示器５は、表示器ケース５１内に収容保持される。表示器ケース５１は、ネジ穴が形成されたボス部５２を備え、ボス部５２は、ケース７の支持部７１の穴部に挿入される。それから、ネジ５４を、プリント基板８と支持部７１の貫通穴に挿通し、ボス部５２のネジ穴に差し込んで締め付ける。これにより、表示器ケース５１（液晶表示器５）がケース７（支持部７１）に対して固定され、同時に、プリント基板８もケース７に対して固定される。
【００５６】
以上説明した本実施形態によるコンビネーションメータ１の電気回路構成について、図４に基づいて説明する。
【００５７】
制御装置９には、バッテリ１４から電力が常時供給される。イグニッションスイッチ１３とスモールランプ点燈スイッチ１２が、その作動状態（オンまたはオフ）を検出可能に接続される。また、制御装置９には、各種のセンサ類が検出信号を入力可能に接続されているとともに、ムーブメント４１や液晶表示器５や発光ダイオード６１−６３が制御装置９により制御されるように接続される。
【００５８】
各種センサ類としては、当該自動車の走行速度を検出する速度センサ１０、当該自動車の各ドアの半ドア状態を検出するドアセンサ１１がある。なお、半ドア状態とは、乗員が正常な閉位置にない、つまりドアの係止機構が完全な係止位置にない状態のことである。また、ドアセンサ１１は、運転席、助手席、後席右側、後席左側の各ドアの半ドア状態を検出するものである。
【００５９】
速度計および距離計は、速度センサ１０の検出信号に基づいて表示を行い、ドアインジケータは、ドアセンサ１１の検出信号に基づいて表示を行う。
【００６０】
（作動）
以下に、上記構成において、本実施形態によるコンビネーションメータ１の作動を説明する。
【００６１】
運転者によってイグニッションスイッチ１３がオンされると、図４において、制御装置９は、それを検出して作動を開始し、発光ダイオード６１、６２を点燈させると共に、ムーブメント４１を駆動する。即ち、制御装置９は、速度センサ１０からの出力信号に基づき、当該自動車の車速を算出し、これに対応した角度だけシャフト４２を回動させるように、ムーブメント４１を駆動する。
【００６２】
また、周囲が暗くなると（コンビネーションメータ１へ入射する外来光の入射量が少なくなると）、運転者は、スモールランプ点燈スイッチ１２をオンして当該自動車のスモールランプを点燈させる。制御装置９は、それを検出して発光ダイオード６３を点燈させる。
【００６３】
一方、制御装置９は、液晶表示器５を駆動して、速度センサ１０からの検出信号に基づき距離計を表示させ、ドアセンサ１１の検出信号に基づきドアインジケータを表示させる。
【００６４】
以下、速度計（文字盤２と透光性リング３と指針４）の目視状態を、発光ダイオード６３の点燈時と消燈時に分けて説明する。
【００６５】
（１）発光ダイオード６３の消燈時
点燈した発光ダイオード６１の白色光は、図２において光路Ｐ１に従って、ケース７により指針４内へ導かれ、指針４の先端部を赤色で発光表示させる。
【００６６】
点燈した発光ダイオード６２の白色光は、図３（ａ）において光路Ｐ２に従って、ケース７により導光部３６から透光性リング３内へ導かれ、第１突出部３１に形成された補完目盛部３４により目視側へ反射する。この白色の反射光が、図１に示す補完目盛部３４として目視される。
【００６７】
第１突出部３１の背後側に配置されている文字盤２の第２突出部２１に形成された背景部２３は、第１突出部３１を通して補完目盛部３４の背景として金属調に目視される。また、背景部２３の上面に形成された青色の文字部２２も、第１突出部３１を通して金属調の背景部２３を背景として目視される。
【００６８】
第１突出部３１の目盛部３２は、黒色の印刷層３３の開口から視認される金属調の背景部２３として目視される。
【００６９】
第１突出部３１と第２突出部２１が図２と図３に示すように目視側（図中において上側）に突出しているため、目盛部３２、補完目盛部３４、文字部２２および背景部２３は、より目視側に配置されることになる。これにより、これらの立体感をより強調することができる。
【００７０】
また、第１突出部３１の背後側に第２突出部２１が配置されているため、補完目盛部３４の背後側に、背景部２３による背景の対比と文字部２２の対比が加わる。これにより、補完目盛部３４の立体感をより強調することができる。
【００７１】
さらに、シボ面３５が、目視側（図３において上側）へ向かって、即ち、図１において指針４の回転中心側から外周側へ向かってその濃淡が徐々に淡くなるようにグラデーション状に形成されているため、第１突出部３１の突出状態を陰影としてより強調できる。これにより、目盛部３２、補完目盛部３４、文字部２２および背景部２３の立体感をさらに強調することができる。
【００７２】
（２）発光ダイオード６３の点燈時
点燈した発光ダイオード６１の白色光が指針４の先端部を赤色で発光表示させる点と、点燈した発光ダイオード６２の白色光が補完目盛部３４として目視される点は、発光ダイオード６３の消燈時と同様である。
【００７３】
一方、点燈した発光ダイオード６３の白色光は、図３（ａ）において光路Ｐ３１、３２に従って背景部２３を透過し、背景部２３がほとんど目視できない状態となる。このため、補完目盛部３４は、発光ダイオード６３からの照明光を背景として浮いた感じで目視され、目盛部３２は、黒色の印刷層３３の開口からの白色の透過光として目視される。
【００７４】
また、点燈した発光ダイオード６３の白色光は、透光性を有する青色の文字部２２を透過して、文字部２２を青色で発光表示させる。文字部２２は、補完目盛部３４の背後側に、発光ダイオード６３からの照明光を背景として浮いた感じで目視される。
【００７５】
また、点燈した発光ダイオード６３の白色光は、図３（ａ）において光路Ｐ３１に従って背景部２３を透過してシボ面３５を透過する。シボ面３５が、目視側へ向かってその濃淡が徐々に淡くなるようにグラデーション状に形成されているため、光路Ｐ３１に従う透過光の強度は、目視側へ向かって高くなる。これにより、第１突出部３１の突出状態を陰影としてより強調できる。これにより、目盛部３２、補完目盛部３４、文字部２２および背景部２３の立体感をさらに強調することができる。
【００７６】
以上により、発光ダイオード６３の点燈時では、その消燈時と異なった目視状態で、目盛部３２、補完目盛部３４、文字部２２の立体感をより強調することができる。
【００７７】
（変形例）
図５は、図１に示すコンビネーションメータ１の第１変形例を示す正面図である。
【００７８】
第１変形例では、図５に示すように、透光性リング３（第１突出部３１）と文字盤２の第２突出部２１を、全周に設けていない。この場合においても、上述の効果を得ることができる。
【００７９】
図６は、図１に示すコンビネーションメータ１の第２変形例を示す正面図である。
【００８０】
図７は、図６中のＶＩＩ−ＶＩＩ線断面図である。
【００８１】
図８は、図７中のＶＩＩＩ部の拡大図である。
【００８２】
第２変形例では、図７と図８に示すように、目盛部３２、補完目盛部３４およびシボ面３５を、第１突出部３１において外周側に形成する。上述の例では、補完目盛部３４およびシボ面３５を、第１突出部３１において内周側に、即ち、第１突出部３１において指針４の回転中心側から外周側へ向かって目視側へ傾斜する部位に形成した。これに対して、第２変形例では、目盛部３２、補完目盛部３４およびシボ面３５を、第１突出部３１において指針４の回転中心側から外周側へ向かって背後側へ傾斜する部位に形成する。
【００８３】
これに伴ない、透光性リング３の第１突出部３１と文字盤２の第２突出部２１と指針を、それぞれ、図２に示す形状から図７に示す形状に変更する。
【００８４】
目盛部３２は、補完目盛部３４と同様に反射部として形成する。具体的に、目盛部３２を、図８に示すように凹部として形成する。シボ面３５は、第１突出部３１において背後側の面（図８において下側の面）に形成する。シボ面３５は、背後側（図８において下側）へ向かって、即ち、図６において指針４の回転中心側から外周側へ向かってその濃淡が徐々に淡くなるように形成される
背景部２３は、不透光性の青色の印刷層として形成し、文字部２２は、背景部２３の開口として形成する。
【００８５】
以下に、本変形例によるコンビネーションメータ１において速度計（文字盤２と透光性リング３と指針４）の目視状態を、発光ダイオード６３の点燈時と消燈時に分けて説明する。
【００８６】
（１）発光ダイオード６３の消燈時
点燈した発光ダイオード６１の白色光は、図７において光路Ｐ１に従って指針４内へ導かれ、指針４の先端部を赤色で発光表示させる。
【００８７】
点燈した発光ダイオード６２の白色光は、図８において光路Ｐ２１に従って導光部３６から透光性リング３内へ導かれ、第１突出部３１に形成された補完目盛部３４により目視側へ反射する。この白色の反射光が、図６に示す補完目盛部３４として目視される。
【００８８】
また、点燈した発光ダイオード６２の白色光は、図８において光路Ｐ２２に従って導光部３６から透光性リング３内へ導かれ、第１突出部３１に形成された目盛部３２により目視側へ反射する。この白色の反射光が、図６に示す目盛部３２として目視される。
【００８９】
また、点燈した発光ダイオード６２の白色光は、図８において光路Ｐ２３に従って導光部３６から透光性リング３内へ導かれ、第１突出部３１に形成されたシボ面３５により目視側へ反射する。シボ面３５が目視側へ向かってその濃淡が徐々に濃くなるように形成されているため、光路Ｐ２３に従う反射光の強度は、目視側へ向かって高くなる。これにより、第１突出部３１の突出状態を陰影としてより強調できる。
【００９０】
第１突出部３１の背後側に配置されている文字盤２の第２突出部２１に形成された背景部２３は、第１突出部３１を通して目盛部３２と補完目盛部３４の背景として青色で目視される。また、文字部２２は、背景部２３の開口として目視される。
【００９１】
第１突出部３１と第２突出部２１が図６と図７に示すように目視側（図中において上側）に突出しているため、目盛部３２、補完目盛部３４、文字部２２および背景部２３は、より目視側に配置されることになる。これにより、これらの立体感をより強調することができる。
【００９２】
また、第１突出部３１の背後側に第２突出部２１が配置されているため、目盛部３２と補完目盛部３４の背後側に、背景部２３による背景の対比と文字部２２の対比が加わる。これにより、目盛部３２と補完目盛部３４の立体感をより強調することができる。
【００９３】
さらに、シボ面３５は、目視側（図８において上側）へ向かって、即ち、図６において外周側から指針４の回転中心側へ向かって徐々に明るくなるように形成されているため、第１突出部３１の突出状態を陰影としてより強調できる。これにより、目盛部３２、補完目盛部３４、文字部２２および背景部２３の立体感をさらに強調することができる。
【００９４】
（２）発光ダイオード６３の点燈時
点燈した発光ダイオード６１の白色光が指針４の先端部を赤色で発光表示させる点、点燈した発光ダイオード６２の白色光が目盛部３と補完目盛部３４として目視される点、および、点燈した発光ダイオード６２の白色光がシボ面３５による陰影として目視される点は、発光ダイオード６３の消燈時と同様である。
【００９５】
一方、点燈した発光ダイオード６３の白色光は、図８において光路Ｐ３に従って背景部２３の開口である文字部２２を透過し、この透過光が文字部２２として目視される。発光ダイオード６３の点燈時は、周囲が暗い状態であるため、背景部２３がほとんど目視できない状態となる。このため、目盛部３２と補完目盛部３４は、暗い状態を背景として浮いた感じで目視される。
【００９６】
以上により、発光ダイオード６３の点燈時では、その消燈時と異なった目視状態で、目盛部３２、補完目盛部３４、文字部２２の立体感をより強調することができる。
【００９７】
図９は、図２に示すコンビネーションメータ１の第３変形例を示す断面図である。
【００９８】
図１０は、図９中のＸ部の拡大図である。
【００９９】
第３変形例では、図９と図１０に示すように、文字盤２を廃止し、透光性リング３に文字盤を兼用させる構成とする。これに伴ない、文字部２２と背景部２３を、透光性リング３の第１突出部３１の背後側の面（図１０において下側の面）に形成し、印刷層２４を、第１突出部３１より外周側（図１０において左側）に形成する。
【０１００】
以下に、本変形例によるコンビネーションメータ１において速度計（透光性リング３）の目視状態を、発光ダイオード６３の点燈時と消燈時に分けて説明する。
【０１０１】
（１）発光ダイオード６３の消燈時
点燈した発光ダイオード６２の白色光は、図１０において光路Ｐ２に従って、ケース７により導光部３６から透光性リング３内へ導かれ、第１突出部３１に形成された補完目盛部３４により目視側（図１０において上側）へ反射する。この白色の反射光が、補完目盛部３４として目視される。
【０１０２】
第１突出部３１の背後側の面に形成された背景部２３は、第１突出部３１を通して補完目盛部３４の背景として金属調に目視される。また、第１突出部３１の背後側の面に形成された青色の文字部２２も、第１突出部３１を通して金属調の背景部２３を背景として目視される。
【０１０３】
第１突出部３１の目盛部３２は、黒色の印刷層３３の開口から視認される金属調の背景部２３として目視される。
【０１０４】
第１突出部３１が図９と図１０に示すように目視側（図中において上側）に突出しているため、目盛部３２、補完目盛部３４、文字部２２および背景部２３は、より目視側に配置されることになる。これにより、これらの立体感をより強調することができる。
【０１０５】
さらに、シボ面３５が目視側（図１０において上側）へ向かってその濃淡が徐々に淡くなるようにグラデーション状に形成されているため、第１突出部３１の突出状態を陰影としてより強調できる。これにより、目盛部３２、補完目盛部３４、文字部２２および背景部２３の立体感をさらに強調することができる。
【０１０６】
（２）発光ダイオード６３の点燈時
点燈した発光ダイオード６２の白色光が補完目盛部３４として目視される点は、発光ダイオード６３の消燈時と同様である。
【０１０７】
一方、点燈した発光ダイオード６３の白色光は、図１０において光路Ｐ３１、３２に従って背景部２３を透過し、背景部２３がほとんど目視できない状態となる。このため、補完目盛部３４は、発光ダイオード６３からの照明光を背景として浮いた感じで目視され、目盛部３２は、黒色の印刷層３３の開口からの白色の透過光として目視される。
【０１０８】
また、点燈した発光ダイオード６３の白色光は、透光性を有する青色の文字部２２を透過して、文字部２２を青色で発光表示させる。このため、文字部２２も、発光ダイオード６３からの照明光を背景として浮いた感じで目視される。
【０１０９】
また、点燈した発光ダイオード６３の白色光は、図１０において光路Ｐ３１に従って背景部２３とシボ面３５を透過する。シボ面３５が、目視側へ向かってその濃淡が徐々に淡くなるようにグラデーション状に形成されているため、光路Ｐ３１に従う透過光の強度は、目視側へ向かって高くなる。これにより、第１突出部３１の突出状態を陰影としてより強調できる。これにより、目盛部３２、補完目盛部３４、文字部２２および背景部２３の立体感をさらに強調することができる。
【０１１０】
以上により、発光ダイオード６３の点燈時では、その消燈時と異なった目視状態で、目盛部３２、補完目盛部３４、文字部２２の立体感をより強調することができる。
【０１１１】
以上説明した本発明による指針計器であるコンビネーションメータ１は、第１突出部３１と第１突出部３１に形成された反射部である補完目盛部３４とを有する第１透光性部材である透光性リング３と、透光性リング３に光を入射させる第１光源である発光ダイオード６２と、透光性リング３の目視側前面に略沿うように回動する指針４とを備え、第１突出部３１が、第１突出部３１の目視側前面と第１突出部３１の背面とが目視側へ突出するように形成され、補完目盛部３４が、発光ダイオード６２の発した光を目視側へ反射することによって表示意匠である補完目盛として目視されるように形成されている。
【０１１２】
これにより、反射部がより目視側へ配置されることとなるため、反射部による表示意匠の立体感をより強調することができる。
【０１１３】
尚、本発明は、上述の例に限らず、これらの組み合わせや、他の種々の変形例が考えられる。
【図面の簡単な説明】
【０１１４】
【図１】図１は、本発明の一実施形態による指針計器であるコンビネーションメータ１の正面図である。
【図２】図２は、図１中のＩＩ−ＩＩ線断面図である。
【図３】図３（ａ）は、図２中のＩＩＩＡ部の拡大図であり、図３（ｂ）は、図３（ａ）の斜視図である。
【図４】図４は、本発明の一実施形態によるコンビネーションメータ１の電気回路構成を説明する回路構成図である。
【図５】図５は、図１に示すコンビネーションメータ１の第１変形例を示す正面図である。
【図６】図６は、図１に示すコンビネーションメータ１の第２変形例を示す正面図である。
【図７】図７は、図６中のＶＩＩ−ＶＩＩ線断面図である。
【図８】図８は、図７中のＶＩＩＩ部の拡大図である。
【図９】図９は、図２に示すコンビネーションメータ１の第３変形例を示す断面図である。
【図１０】図１０は、図９中のＸ部の拡大図である。
【符号の説明】
【０１１５】
１  コンビネーションメータ（指針計器）、２  文字盤（第２透光性部材）
２１第２突出部、２２  文字部、２３  背景部、２４  印刷層
３  透光性リング（第１透光性部材）
３１  第１突出部、３２  目盛部（反射部）、３３  印刷層、３４  補完目盛部（反射部）
３５  シボ面（拡散反射部）、３６  導光部
４  指針、４１  ムーブメント、４２  シャフト
５  液晶表示器、５１表示器ケース、５２  ボス部、５３  透明カバー、５４  ネジ
６１  発光ダイオード、６２  発光ダイオード（第１光源）
６３  発光ダイオード（第２光源）
７  ケース、７１  支持部、８  プリント基板、９  制御装置（制御手段）
１０  速度センサ、１１  ドアセンサ、１２  スモールランプ点燈スイッチ
１３  イグニッションスイッチ、１４  バッテリ
【図１】
2008020306.tif 000003
【図２】
2008020306.tif 000004
【図３】
2008020306.tif 000005
【図４】
2008020306.tif 000006
【図５】
2008020306.tif 000007
【図６】
2008020306.tif 000008
【図７】
2008020306.tif 000009
【図８】
2008020306.tif 000010
【図９】
2008020306.tif 000011
【図１０】
2008020306.tif 000012